(57)【要約】【課題】撮像装置の焦点板交換機構において省スペース化を図ることが可能な技術を提供する。【解決手段】撮像装置１は、装置本体部と、焦点板８を着脱自在に保持する焦点板保持部材７と、係止部材９とを備える。係止部材９は、焦点板保持部材７と装置本体部のレンズ装着部Ｍｔとの間に設けられる。焦点板保持部材７は、レンズ装着部Ｍｔ側に前面側部材７２を有する。また、係止部材９は、前面側部材７２に設けられた係合部７２ｋと係合し焦点板保持部材７を係止して、焦点板保持部材７による焦点板８の保持状態を維持する。前面側部材７２に対して装置背面側への（矢印ＡＲ１の向きの）押圧力が付与されると、前面側部材７２が弾性変形して前面側部材７２の係合部７２ｋが装置背面側に変位し係止部材９と係合部７２ｋとの係合が解除される。【選択図】図１７
2010020141.tif 000002
【特許請求の範囲】
【請求項１】
撮像装置であって、
装置本体部と、
焦点板を着脱自在に保持する焦点板保持部材と、
前記焦点板保持部材と前記装置本体部の前記レンズ装着部との間に設けられる係止部材と、
を備え、
前記焦点板保持部材は、前記レンズ装着部側に前面側部材を有し、
前記係止部材は、前記前面側部材に設けられた係合部と係合し前記焦点板保持部材を係止して、前記焦点板保持部材による前記焦点板の保持状態を維持し、
前記前面側部材に対して装置背面側への押圧力が付与されると、前記前面側部材が弾性変形して前記前面側部材の前記係合部が前記装置背面側に変位し前記係止部材と前記係合部との係合が解除される、撮像装置。
【請求項２】
請求項１に記載の撮像装置において、
前記焦点板保持部材は、所定軸回りに回動可能であり、
前記係止部材は、前記焦点板保持部材の前記係合部と係合し前記焦点板保持部材を係止して、前記焦点板保持部材の前記所定軸回りの回動動作を抑止して前記保持状態を維持し、
前記前面側部材に対して装置背面側への押圧力が付与され前記係止部材と前記係合部との係合が解除されると、前記焦点板保持部材が前記所定軸回りに回動する、撮像装置。
【請求項３】
請求項１に記載の撮像装置において、
前記前面側部材は、当該前面側部材の長手方向において前記係合部を含む所定範囲にわたって、比較的剛性が高い高剛性部分を有するとともに、前記長手方向において前記高剛性部分の側部に比較的剛性が低い低剛性部分を有する、撮像装置。
【請求項４】
請求項１に記載の撮像装置において、
前記焦点板保持部材は、前記保持状態において前記焦点板を上方に向けて押し付ける弾性力を付与する弾性力付与部を有している、撮像装置。
【請求項５】
請求項４に記載の撮像装置において、
前記焦点板保持部材は、前記前面側部材から前記装置背面側に向けて延設される接続部材を有しており、
前記弾性力付与部は、前記接続部材の一部を屈曲して形成されている、撮像装置。
【請求項６】
請求項１に記載の撮像装置において、
撮影光学系からの光像を反射して前記焦点板へ導くミラーと、
前記ミラーを保持するミラー保持部材と、
をさらに備え、
前記前面側部材は、当該前面側部材の長手方向における端部に突当部を有し、
前記焦点板保持部材は、前記係合部との係合が解除されると、所定軸回りに回動して前記焦点板の交換が可能な交換可能状態へと移行し、
前記交換可能状態においては、前記ミラー保持部材に前記突当部が当接し、前記焦点板保持部材と前記ミラーとの接触が回避される、撮像装置。
【請求項７】
請求項１に記載の撮像装置において、
前記係止部材は、前記レンズ装着部側よりも前記装置背面側が高くなるように傾斜した傾斜面を有しており、
前記係止部は、前記レンズ装着部側よりも前記装置背面側が高くなるように傾斜しており、前記保持状態において前記傾斜面と係合する、撮像装置。
【請求項８】
焦点板交換機構であって、
焦点板を着脱自在に保持する焦点板保持部材と、
前記焦点板保持部材の前面側部材に設けられた係合部と係合して前記焦点板保持部材を係止し、前記焦点板保持部材による前記焦点板の保持状態を維持する係止部材と、
を備え、
前記前面側部材を前記係止部材から引き離す第１の向きの押圧力が前記前面側部材に対して付与されると、前記前面側部材が弾性変形して前記前面側部材の前記係合部が前記第１の向きに変位し前記係止部材と前記係合部との係合が解除される、焦点板交換機構。
【発明の詳細な説明】
【技術分野】
【０００１】
本発明は、デジタルカメラなどの撮像装置に関し、特に当該撮像装置の焦点板交換機構に関する。
【背景技術】
【０００２】
一眼レフレックス式カメラの観察光学系においては、撮影レンズを通過して主ミラーで反射された光像が、焦点板で結像され、その後ペンタプリズム、接眼レンズおよびファインダ窓等をさらに通過して、観察者（ユーザ）の眼に到達する。観察者はこのような光像を視認することによって、撮影時の構図等を確認することが可能である。
【０００３】
ところで、上記の焦点板として、様々な種類のものを利用したいという要望が存在する。特に、プロ撮影者あるいはそれに準じる撮影者（ハイアマチュア）は、撮影状況等に応じて、様々な種類の焦点板を使い分けたいという要望を有している。
【０００４】
例えば、合焦の程度に応じた光像の見え方が通常の焦点板とは異なる焦点板が存在する。この焦点板においては、その磨りガラス状の表面（マット面）に通常の焦点板とは異なる粗さの加工が施され、より正確に合焦状態になったときにのみ像が鮮鋭に見えるように形成されている。これによれば、観察者は、合焦状態をより明確に知得することが可能である。
【０００５】
あるいは、格子状の線が刻まれた焦点板が存在する。このような焦点板によれば、観察者は、視野内に配置された格子線（方眼）を参照しながら、構図決めを行うことが可能になる。
【０００６】
このような様々な焦点板を簡易に交換可能にするため、撮像装置の中には、焦点板の着脱機構（焦点板交換機構）を備えるものが存在する（特許文献１等参照）。
【０００７】
この焦点板交換機構は、図２６に示されるように、焦点板９８の近傍に設けられる。また特に、焦点板交換操作用の係止部材９９等が、円環状の（本体側）レンズマウント部の内周側の開口部内に設けられる。
【０００８】
【特許文献１】特開２００１−１７４８８０号公報
【発明の開示】
【発明が解決しようとする課題】
【０００９】
撮影レンズから結像面（撮像面）までの距離は予め決まっていることもあり、上記のような焦点板交換機構はカメラ本体内の限られた空間内に収容されることが求められる。
【００１０】
また、一眼レフレックス式のデジタルカメラにおいて、イメージセンササイズとして、ＡＰＳ（詳細にはＡＰＳ−Ｈ）サイズよりもさらに大きなフルサイズ（３５ミリフィルムサイズ）を用いるものがある。
【００１１】
このようにイメージセンササイズが大きくなると、焦点板のサイズも大きくなる。したがって、焦点板交換機構の配置スペースに対する制約は非常に厳しくなる。このような制約の下においては、例えばミリ単位あるいはサブミリ単位での調整が求められる。
【００１２】
また特に、近年、銀塩カメラ（フィルム式カメラ）からデジタルカメラへのシフトが進んでいる。
【００１３】
銀塩カメラからデジタルカメラに移行すると、従来の薄いフィルムが撮像素子に変更される。そして、撮像素子の撮像面の被写体側にはカラーフィルタおよびカバーガラスなどの部材が設けられる。そのため、一眼レフレックス式のカメラにおいては、上記の焦点板交換機構の配置スペースに対する制約がさらに厳しくなる。
【００１４】
さて、例えば特許文献１には、焦点板交換機構において、焦点板保持部材９７に設けられた突起部９７ｅを係止部材９９の孔部９９ｈに貫通させて焦点板保持部材９７を係止する技術が記載されている（図２６参照）。このような係止状態において、焦点板保持部材９７による焦点板９８の保持状態が維持される。
【００１５】
そして、当該技術においては、図２６に示されるように、係止部材９９の下端部９９ｂを手前（図２６の左向き）に引くことによって、当該係止部材９９の孔部９９ｈと焦点板保持部材９７の突起部９７ｅとの係合が解除される。これにより、係止部材９９による板保持部材９７の係止が解除され、焦点板保持部材９７が所定の軸回りに回動しつつ下降し、焦点板の交換が可能な状態に移行する。
【００１６】
しかしながら、このような技術においては、係止部材９９の下端部９９ｂを手前側（レンズマウント部内側の開口部（図２６の左側））に引くことを要するため、係止部材９９の手前側（装置前面側）に比較的大きなスペースを要する。
【００１７】
一方、上述したように、焦点板交換機構の配置スペースに対する制約が存在するため、係止部材９９の手前側に比較的大きなスペースを確保することは困難である。
【００１８】
そこで、この発明の課題は、撮像装置の焦点板交換機構において省スペース化を図ることが可能な技術を提供することにある。
【課題を解決するための手段】
【００１９】
本発明の第１の側面は、撮像装置であって、装置本体部と、焦点板を着脱自在に保持する焦点板保持部材と、前記焦点板保持部材と前記装置本体部の前記レンズ装着部との間に設けられる係止部材とを備え、前記焦点板保持部材は、前記レンズ装着部側に前面側部材を有し、前記係止部材は、前記前面側部材に設けられた係合部と係合し前記焦点板保持部材を係止して、前記焦点板保持部材による前記焦点板の保持状態を維持し、前記前面側部材に対して装置背面側への押圧力が付与されると、前記前面側部材が弾性変形して前記前面側部材の前記係合部が前記装置背面側に変位し前記係止部材と前記係合部との係合が解除されるものである。
【００２０】
本発明の第２の側面は、焦点板交換機構であって、焦点板を着脱自在に保持する焦点板保持部材と、前記焦点板保持部材の前面側部材に設けられた係合部と係合して前記焦点板保持部材を係止し、前記焦点板保持部材による前記焦点板の保持状態を維持する係止部材とを備え、前記前面側部材を前記係止部材から引き離す第１の向きの押圧力が前記前面側部材に対して付与されると、前記前面側部材が弾性変形して前記前面側部材の前記係合部が前記第１の向きに変位し前記係止部材と前記係合部との係合が解除されるものである。
【発明の効果】
【００２１】
本発明によれば、係止部材を装置前面側に移動させるためのスペースを確保しなくて済むため、省スペース化を図ることが可能である。
【発明を実施するための最良の形態】
【００２２】
以下、本発明の実施形態を図面に基づいて説明する。
【００２３】
＜１．第１実施形態＞
＜１−１．構成概要＞
図１は、本発明の実施形態に係る撮像装置１の外観構成を示す斜視図である。この撮像装置１は、レンズ交換式一眼レフレックスタイプのデジタルカメラとして構成されている。
【００２４】
図１に示すように、撮像装置１は、カメラ本体部（装置本体部）２を備えている。このカメラ本体部２に対して、交換式（着脱式）の撮影レンズユニット（交換レンズ）３が着脱可能である。なお、図１では、撮影レンズユニット３が離脱された状態が示されているが、撮影動作は、撮影レンズユニット３が装着された状態で実行される。一方、後述する焦点板８の交換作業は、図１のように撮影レンズユニット３が離脱された状態で行われる。
【００２５】
撮影レンズユニット３は、主として、鏡胴、ならびに、鏡胴の内部に設けられるレンズ群及び絞り等によって構成される。当該レンズ群（撮影光学系）には、光軸方向に移動することによって焦点位置を変更するフォーカスレンズ等が含まれている。
【００２６】
カメラ本体部２は、撮影レンズユニット３が装着される円環状のレンズマウント部（レンズ装着部）Ｍｔを正面略中央に備え、撮影レンズユニット３を着脱するための着脱ボタン２２を円環状のレンズマウント部Ｍｔ付近に備えている。
【００２７】
また、カメラ本体部２は、正面左端部に撮影者が把持するためのグリップ部１４を備えている。グリップ部１４の上面には露光開始を指示するためのレリーズボタン２１が設けられている。グリップ部１４の内部には電池収納室とカード収納室とが設けられている。電池収納室にはカメラの電源として、例えばリチウムイオン電池が収納されており、カード収納室には撮影画像の画像データを記録するためのメモリカードが着脱可能に収納される。
【００２８】
レリーズボタン２１は、半押し状態（Ｓ１状態）と全押し状態（Ｓ２状態）との２つの状態を検出可能な２段階検出ボタンである。レリーズボタン２１が半押しされＳ１状態になると、被写体に関する記録用静止画像（本撮影画像）を取得するための準備動作（例えば、ＡＦ制御動作およびＡＥ制御動作等）が行われる。また、レリーズボタン２１がさらに押し込まれてＳ２状態になると、当該本撮影画像の撮影動作（撮像素子５（後述）を用いて被写体像（被写体の光像）に関する露光動作を行い、その露光動作によって得られた画像信号に所定の画像処理を施す一連の動作）が行われる。
【００２９】
図２は、撮像装置１の内部構成を示す斜視図であり、図３は、撮像装置１の内部構成を示す断面図である。なお、図２および図３は、ミラーダウン状態を示している。
【００３０】
図２に示すように、レンズマウント部Ｍｔの内側上部においては、レンズ信号接点を含む電気的接続端子部２５が設けられている。撮影レンズユニット３の装着時には、当該レンズ信号接点を介して各種信号が送受信される。
【００３１】
また、電気的接続端子部２５の下側には焦点板保持部材７の前面側部材７２（後述）が設けられている。後述するように、前面側部材７２を背面側に押すことなどによって、焦点板８の交換動作が行われる。
【００３２】
図３に示すように、撮影レンズユニット３から撮像素子５に至る光路（撮影光路）上にはミラー機構６が設けられている。ミラー機構６は、撮影光学系からの光を上方に向けて反射する主ミラー６ａ（主反射面）を有している。この主ミラー６ａは、例えばその一部または全部がハーフミラーとして構成され、撮影光学系からの光の一部を透過する。また、ミラー機構６は、主ミラー６ａを透過した光を下方に反射させるサブミラー６ｂ（副反射面）をも有している。サブミラー６ｂで下方に反射された光は、ＡＦモジュール（不図示）へと導かれて入射し、位相差方式のＡＦ動作に利用される。焦点板の交換作業は、この「ミラーダウン状態」において行われる。
【００３３】
レリーズボタン２１が全押し状態Ｓ２にされる前まで（すなわち構図決め時において）、ミラー機構６はミラーダウン状態となるように配置される（図３）。そして、この際には、撮影レンズユニット３からの被写体像は、主ミラー６ａで反射され観察用光束として上方に進行する。主ミラー６ａで上方に反射された被写体像（光像）は、焦点板８へと導かれ、焦点板８で一旦結像される。その後、焦点板８を通過した当該被写体像は、ペンタプリズム１８に入射してペンタプリズム１８の反射面において更に反射され、接眼レンズおよびファインダ窓を通過して、撮影者の眼に到達する。この状態において、光学ビューファインダ（ＯＶＦ）を用いた構図決め動作が行われる。
【００３４】
その後、レリーズボタン２１が全押し状態Ｓ２にされると、ミラー機構６は、ミラーアップ状態となるように駆動され、露光動作が開始される。詳細には、撮影光学系からの光（被写体像）を遮らないように主ミラー６ａとサブミラー６ｂとが上方に跳ね上げられ、撮影レンズユニット３からの光が、主ミラー６ａで反射されることなく進行して、シャッタの開放期間に合わせて撮像素子５に到達する。撮像素子５は、光電変換によって、受光した光束に基づいて被写体の画像信号を生成する。このように、被写体からの光束（被写体像）が撮影レンズユニット３を通過して撮像素子５に導かれることによって、被写体に係る撮影画像（撮影画像データ）が得られる。
【００３５】
撮像素子（ここではＣＣＤセンサ（単にＣＣＤとも称する））５は、撮影レンズユニット３からの被写体の光像（被写体像）を光電変換作用により電気的信号に変換する受光素子であり、本撮影画像に係る画像信号（記録用の画像信号）を生成して取得する。具体的には、撮像素子５は、受光面に結像された被写体像の露光（光電変換による電荷蓄積）を行い、当該被写体像に係る画像信号を生成する。
【００３６】
また、撮像素子５で取得された画像信号に対して信号処理部により所定のアナログ信号処理が施されると、当該アナログ信号処理後の画像信号はＡ／Ｄ変換回路によってデジタル画像データ（画像データ）に変換され、デジタル信号処理回路に入力される。当該デジタル信号処理回路は、当該デジタル画像データに対して種々のデジタル信号処理（黒レベル補正処理、ホワイトバランス（ＷＢ）処理、γ補正処理等）を施す。これにより、本撮像画像に係る画像データが生成され、生成された画像データは、メモリカードに記録される。
【００３７】
＜１−２．焦点板付近の構成＞
図４は、焦点板８付近の構成を示す分解斜視図である。
【００３８】
図４に示すように、下から上へ向けて、焦点板保持部材（焦点板ホルダとも称する）７と焦点板８と視野枠部材１１とＳＩスクリーン１２とペンタホルダ１５とコンデンサレンズ１６とペンタマスク板１７とペンタプリズム１８とが、この順序で積層されている。また、係止部材９はペンタホルダ１５に固定されて設けられている。また、ペンタホルダ１５等は、カメラ本体部２に固定される。そのため、係止部材９はカメラ本体部２側に固定されて設けられているとも表現される。なお、これらの要素（焦点板保持部材７および係止部材９等を含む）は、焦点板交換機構を構成する。
【００３９】
焦点板保持部材７と視野枠部材１１とペンタマスク板１７とは、それぞれ、略矩形形状の枠状部材である。また、ペンタホルダ１５は、中空部を有する略角柱状部材である。これらの各部材７，１１，１５，１７は、いずれも、その中央に中空部を有する。
【００４０】
図４の下方に配置される主ミラー６ａで反射され図４の上方に向けて進行する被写体像は、各部材７，１１，１５，１７の中空部、ならびに、焦点板８、ＳＩスクリーン１２、コンデンサレンズ１６およびペンタプリズム１８を含む各種の光学部品を通過する。そして、当該被写体像は、ペンタプリズム１８で反射されカメラ背面側に進行して、観察者の眼に到達する。
【００４１】
図５は、焦点板８を示す斜視図である。図６は焦点板８の上面図であり、図７は焦点板８の正面図であり、図８は焦点板８の側面図（右側面図）である。
【００４２】
焦点板（フォーカシングスクリーンとも称する）８は、透光性を有する光学部品である。焦点板８は、その下面側（光入射面）にフレネルレンズ面を有しており、その上面側（光出射面）にマット面を有している。また、焦点板８は、これらの図に示すように、略矩形状の板状部材である。焦点板８は、その本体部８１の左右両側において、本体部８１から外側に向けて突出する突出部８２，８４，８５を有している。突出部８４，８５は、それぞれ、本体部８１の左右の端側に設けられている。後述するように突出部８４，８５は、焦点板保持部材７の位置規制部材７４ｅ，７５ｅと接触することによって、焦点板８の位置決め動作に利用される。また、突出部８４，８５には、それぞれ、上方に向けて突出する突起部８４ｅ，８５ｅが設けられている。さらに、突出部８２は、後述するように、焦点板８の交換用の治具によって把持される部分である。すなわち、突出部８２は、焦点板８の交換時における被把持部として用いられる。
【００４３】
図９は、焦点板保持部材７を示す斜視図である。図１０は焦点板保持部材７の上面図であり、図１１は焦点板保持部材７の正面図である。また、図１２は、焦点板保持部材７の左側面図であり、図１３は焦点板保持部材７の右側面図である。
【００４４】
これらの図に示すように、焦点板保持部材７は、中空部７１を有する枠部材である。焦点板保持部材７は、４つの略直線状の枠部材、具体的には、レンズマウント部側（前面側）に設けられた前面側部材７２と、装置背面側に設けられた背面側部材７６と、両部材７２，７６を相互に接続する接続部材７４，７５とを有している。これら４つの直線状部材７２，７４，７６，７５は、中空部７１を囲むように配置されている。
【００４５】
焦点板保持部材７は、金属などの弾性部材で構成される。例えば、焦点板保持部材７は、一枚の板金から、プレス加工等によって形成される。換言すれば、上記の４つの直線状部材７２，７４，７５，７６は一体化された状態で形成される。
【００４６】
前面側部材７２は、略板状の部材である。より具体的には、前面側部材７２は、その中央に中央部７２ｆを有しており、当該中央部７２ｆの両側（外側）に変形部７２ｇを有している。また、前面側部材７２は、その両端に（換言すれば変形部７２ｇの外側に）ストッパ部（突当部とも称する）７２ｓを有している。前面側部材７２は、焦点板載置面（焦点板が載置される平面）ＰＬ（図１１参照）に対して略垂直に折り曲げられて下方に向かって伸びており、前面側部材７２は立下り部とも称される。したがって、中央部７２ｆと変形部７２ｇとストッパ部７２ｓとはいずれも、焦点板載置面ＰＬに略垂直な面として構成されている。
【００４７】
中央部７２ｆの中央には孔７２ｈが設けられており、中央部７２ｆの孔７２ｈの両側上部にはそれぞれ係合部（爪部とも称される）７２ｋが設けられている。左右の各係合部７２ｋは、係止部材９における左右の各係合部（爪部とも称される）９２ｋ（図４および図１６等参照）とそれぞれ係合し、焦点板保持部材７を係止する。
【００４８】
変形部７２ｇの上下方向の幅Ｗｇ（図１１参照）は中央部７２ｆの上下方向の幅Ｗｆよりも狭く、変形部７２ｇは中央部７２ｆに比べて剛性が低い。逆に言えば、中央部７２ｆの上下方向の幅Ｗｆは変形部７２ｇの上下方向の幅Ｗｇよりも広く、中央部７２ｆは変形部７２ｇに比べて剛性が高い。
【００４９】
このように、前面側部材７２は、当該前面側部材７２の長手方向（左右方向）において係合部７２ｋを含む所定範囲にわたって、比較的剛性が高い中央部（高剛性部分とも称する）７２ｆを有する。また、前面側部材７２は、その長手方向において中央部７２ｆの側部（詳細には両側部）に比較的剛性が低い変形部（低剛性部分とも称する）７２ｇを有する。変形部７２ｇの剛性は中央部７２ｆの剛性よりも低く、変形部７２ｇは中央部７２ｆよりも弾性変形しやすい。
【００５０】
後述するように、中央部７２ｆに対して背面側へ向かう押圧力が付与されると、前面側部材７２（主に変形部７２ｇ）において弾性変形が生じ、中央部７２ｆが背面側へ移動する。このとき、中央部７２ｆに設けられた係合部７２ｋが装置背面側に変位し、係合部７２ｋと係合部９２ｋとによる係止が解除される。すなわち、係止部材９による焦点板保持部材７の係止状態が解除される。
【００５１】
また特に、中央部７２ｆは比較的剛性が高いため、所定程度以上の押圧力が付与されるまでは中央部７２ｆの変形は比較的小さい。したがって、比較的小さな力では焦点板保持部材７の係止状態は解除されにくい。換言すれば、係止状態が容易に解除されることを防止することが可能である。なお、焦点板保持部材７の係止解除動作等については後に詳述する。
【００５２】
また、ストッパ部７２ｓの上下方向の幅Ｗｓは、変形部７２ｇの上下方向の幅Ｗｇよりも広く、且つ、中央部７２ｆの上下方向の幅Ｗｆよりも広い。
【００５３】
ストッパ部７２ｓは、前面側部材７２の左右方向の両端に１個ずつ配置されている。また、これら２つのストッパ部７２ｓの左右方向における配置間隔（より詳細には、両ストッパ部７２ｓの下端部の間隔）は、主ミラー６ａの幅と同等か或いは当該幅よりも大きい。そして、後述するように係止部材９による係止が解除され焦点板保持部材７が主ミラー６ａに向けて下降する際には、両ストッパ部７２ｓは、主ミラー６ａを跨ぐ位置においてミラー保持部材６ｅ（後述）に当接する。このとき、ストッパ部７２ｓは、主ミラー６ａ自体には接触しない。そのため、主ミラー６ａと焦点板保持部材７との接触による主ミラー６ａの損傷を防止することができる。
【００５４】
接続部材７４は、焦点板保持部材７の左右方向の一方側（図９の右側）において、前面側部材７２から背面側部材７６に向けて延設され、前面側部材７２と背面側部材７６とを前後方向に接続する。接続部材７５は、焦点板保持部材７の左右方向の他方側（図９の左側）において、前面側部材７２から背面側部材７６に向けて延設され、前面側部材７２と背面側部材７６とを前後方向に接続する。また、接続部材７４，７５は、互いに略平行に配置される。
【００５５】
接続部材７４は、支持部７４ａ，７４ｂを有している。図１３に示すように、支持部７４ａ，７４ｂは、それぞれ、接続部材７４の一部が上方に突出するように屈曲され、上下方向における弾性力が付与された状態で形成されている。同様に、接続部材７５は、図１２に示すように、支持部７５ａ，７５ｂを有している。支持部７５ａ，７５ｂは、それぞれ、接続部材７５の一部が上方に突出するように屈曲され、上下方向における弾性力が付与された状態で形成されている。
【００５６】
後述するように、焦点板８は、焦点板保持部材７による保持状態において、４つの支持部７４ａ，７４ｂ，７５ａ，７５ｂによって上向きの押圧力が付与された状態で支持される。そのため、支持部７４ａ，７４ｂ，７５ａ，７５ｂは、焦点板８をカメラ本体部側（より詳細にはペンタホルダ１５側）（すなわち上方）に押し付ける弾性力を付与する弾性力付与部であるとも表現される。
【００５７】
また、接続部材７４，７５は、位置規制部材（ガイド部材）７４ｃ，７４ｄ，７４ｅ，７５ｃ，７５ｄ，７５ｅをも有している（図９および図１０等参照）。
【００５８】
位置規制部材（ガイド部材）７４ｃ，７４ｄ，７４ｅ，７５ｃ，７５ｄ，７５ｅは、それぞれ、焦点板載置面ＰＬから略垂直上方に向けて立設されており、焦点板８の位置決めに利用される。具体的には、焦点板８が焦点板保持部材７に載置される状態において、位置規制部材７４ｃ，７５ｃは、左右方向において焦点板８の外側に配置され、左右方向における焦点板８の移動を規制する。また、位置規制部材７４ｄ，７４ｅは、焦点板８の突出部８４（図５）の前後方向に配置され、前後方向における焦点板８の移動を規制する。同様に、位置規制部材７５ｄ，７５ｅは、焦点板８の突出部８５の前後方向に配置され、前後方向における焦点板８の移動を規制する。
【００５９】
なお、この実施形態では、厳密には、焦点板８が後ろ側へ移動するときには、ヒンジ部７６ｕ（後述）が位置規制部材７４ｄよりも先に焦点板８に接触して焦点板８の後ろ側への移動を規制する。同様に、位置規制部材７５ｄよりもヒンジ部７６ｕ（後述）が先に焦点板８に接触して焦点板８の後ろ側への移動を規制する。そのため、位置規制部材７４ｄ，７５ｄを設けないようにしてもよい。
【００６０】
また、背面側部材７６は、前面側部材７２に対して略平行に配置される。
【００６１】
背面側部材７６は、その両側端部のそれぞれにおいて、逆Ｕ字状に加工されたヒンジ部７６ｕを有している。ヒンジ部７６ｕは、回転軸１５ｄ（図１６等参照）に支持され、当該回転軸１５ｄに対して回動可能に設けられる。これにより、焦点板保持部材７は、回転軸１５ｄ回りに（より詳細には、回転軸１５ｄの中心軸を中心に）回動することが可能である。なお、回転軸１５ｄは、ペンタホルダ１５の背面側左右両端の取付部１５ｅに固定され、ペンタホルダ１５の左右方向において延設される軸部材である（図３および図４等参照）。
【００６２】
このような焦点板保持部材７は、上記の焦点板８を着脱自在に保持する。より具体的には、焦点板保持部材７は、後述する上方位置（図１４参照）において、焦点板８をペンタホルダ１５および視野枠部材１１等と協働して保持する。また、後述する下方位置（図１５参照）においては、焦点板８の交換操作（取り外し操作および取り付け操作）を行うことが可能である。
【００６３】
例えば、焦点板保持部材７は、載置対象の焦点板８（詳細にはその底面周縁部）を４つの支持部（弾性支持部とも称する）７４ａ，７４ｂ，７５ａ，７５ｂ（図９等照）で支持する。
【００６４】
また、焦点板８の左右両側の辺と焦点板保持部材７の位置規制部材７４ｃ，７５ｃとが接触することによって、左右方向における焦点板８の位置変動が規制される。さらに、焦点板８の突出部８４が、前後方向において位置規制部材７４ｄと位置規制部材７４ｅとの間に配置され、前後方向における焦点板８の位置変動が規制される。同様に、焦点板８の突出部８５が、前後方向において位置規制部材７５ｄと位置規制部材７５ｅとの間に配置され、前後方向における焦点板８の位置変動が規制される。これにより、焦点板８の交換時において、焦点板８が大きく移動することが防止されるとともに、焦点板８を適宜の位置に誘導することが可能である。
【００６５】
さらに、視野枠部材１１の上面がペンタホルダ１５の底面の枠部に接するように、ペンタホルダ１５の底面には視野枠部材１１が固定されている（図４参照）。また、ペンタホルダ１５の内側底部にはＳＩスクリーン１２が保持されている。ＳＩスクリーン１２の周縁部の左右両側にはそれぞれ孔１２ｈが設けられ、視野枠部材１１の枠部の左右両側にはそれぞれ孔１１ｈが設けられる。孔１２ｈと孔１１ｈとは、互いに対応する位置に設けられている。また、ＳＩスクリーン１２の孔１２ｈは、ペンタホルダ１５の凹部１５ｃに配置される。
【００６６】
焦点板８が交換された後に焦点板保持部材７が上方位置（図１４参照）へと移動する際には、（焦点板８の突出部８４から上方に向かって突出する）突起部８４ｅは、孔１１ｈを貫通して孔１２ｈに嵌入（遊嵌状態）する。同様に、（焦点板８の突出部８５から上方に向かって突出する）突起部８５ｅは、孔１１ｈを貫通して孔１２ｈに嵌入（遊嵌状態）する。このようにして、焦点板８はペンタホルダ１５に対して正確に位置決めされた状態で、焦点板保持部材７等によって保持される。
【００６７】
焦点板保持部材７が係止部材９によって係止された状態（図１６参照）においては、焦点板保持部材７による焦点板８の保持状態が維持される。この状態においては、正規の位置に配置された焦点板８が、４つの支持部７４ａ，７４ｂ，７５ａ，７５ｂ（図９等参照）の弾性力によってペンタホルダ１５側（上方）に向けて押し付けられて保持される。このようにして、焦点板保持部材７は焦点板８を確実に保持することが可能である。
【００６８】
＜１−３．焦点板の交換動作＞
つぎに、焦点板の交換動作について詳細に説明する。
【００６９】
図１４は、焦点板保持部材７が上方位置に存在する状態を示す断面図であり、図１５は、焦点板保持部材７が下方位置に存在する状態を示す断面図である。さらに、図１６〜図１８は、焦点板保持部材７が上方位置（図１４）から下方位置（図１５）に移行するまでの詳細動作を示す断面図である。また、図１９および図２０は、カメラ本体部２のレンズマウント部（レンズ装着部）Ｍｔの内側の開口部から見たカメラ本体部２内部の様子を示す図である。図１９は、焦点板保持部材７が上方位置に存在する状態に対応し、図２０は、焦点板保持部材７が下方位置に存在する状態に対応する。なお、図１９および図２０は、それぞれ、内部を若干下側から見た斜視図である。
【００７０】
以下では、図１９に示すように、ユーザによって撮影レンズユニット３がカメラ本体部２から取り外された状態において、焦点板８を交換する動作について説明する。
【００７１】
まず、焦点板８を取り外すための動作について説明する。
【００７２】
ユーザは、焦点板保持部材７による焦点板８の保持状態を解除するため、焦点板交換用治具（例えばピンセット状の治具）ＪＧの先端部を用いてレンズマウント部Ｍｔの内部の上方部分における前面側部材７２（詳細には中央部７２ｆ）を背面側に向けて押す。すなわち、ユーザは、前面側部材７２に対して装置背面側への押圧力を付与する。換言すれば、ユーザは、前面側部材７２を係止部材９から引き離す向き（矢印ＡＲ１（図１７）の向き）の押圧力を前面側部材７２に対して付与する。ここでは、後述するような下降動作をも円滑に行うため、ユーザは、治具ＪＧの先端部を孔７２ｈに差し込みつつ、当該前面側部材７２に対して背面側へ向かう押圧力を付与する。
【００７３】
図１６は押圧力付与前の状態を示し、図１７は押圧力付与直後の状態を示す。
【００７４】
図１６に示すように、押圧力付与前においては、焦点板保持部材７の前面側部材７２に設けられた係合部７２ｋが係止部材９の係合部９２ｋに対して係合している。これにより、回転軸１５ｄを中心とする焦点板保持部材７の回動動作を抑止するように焦点板保持部材７が係止されている。そして、この係止状態において、焦点板保持部材７による焦点板８の保持状態が維持される。なお、係止部材９は、レンズマウント部Ｍｔと焦点板保持部材７の前面側部材７２との間に設けられている。また、係止部材９は、略板形状を有しており、その下側先端側の左右両側に１つずつ合計２つの係合部９２ｋを有している（図４も参照）。これらの係合部９２ｋは、係止部材９の下側先端部が背面側に向けて折り曲げられて形成されている。
【００７５】
一方、図１６と図１７とを比較すると判るように、ユーザが前面側部材７２の中央部７２ｆを押して、中央部７２ｆに対して背面側（図の右側）へ向かう押圧力を付与すると、前面側部材７２（具体的には中央部７２ｆおよび変形部７２ｇ等）に弾性変形が生じる。ただし、上述したように中央部７２ｆと変形部７２ｇとの剛性（換言すれば、弾性）の大きさが異なっているため、主に変形部７２ｇ（図９参照）において弾性変形が生じる。そして、中央部７２ｆが背面側（矢印ＡＲ１の向き）へ移動し、中央部７２ｆ付近に存在する係合部７２ｋ（図９）も背面側に移動する。
【００７６】
そして、このとき、図１７に示すように、係合部７２ｋと係合部９２ｋとの係合が解除され、係止部材９による焦点板保持部材７の係止状態が解除される。これにより、焦点板保持部材７が回転軸１５ｄ回りに回動することが可能になる。
【００７７】
その後、ユーザは、孔７２ｈに挿入した治具ＪＧの先端部を下方に移動する。このような操作に応じて、図１８に示すように、焦点板保持部材７は回転軸１５ｄ（詳細にはその中心軸）を中心に反時計回りに回転する。また、焦点板保持部材７に載置された焦点板８も焦点板保持部材７とともに移動する。なお、焦点板８の突出部８４は焦点板保持部材７の位置規制部材７４ｄと位置規制部材７４ｅとの間に存在し、焦点板８の突出部８５は焦点板保持部材７の位置規制部材７５ｄと位置規制部材７５ｅとの間に存在する。この下降動作においては、焦点板８の前後方向の位置は、特に比較的手前側の位置規制部材７４ｅ，７５ｅ（図９）によって規制される。
【００７８】
そして、焦点板保持部材７が回転軸１５ｄを中心に所定量（例えば約４５°）回転すると、前面側部材７２のストッパ部７２ｓがミラー保持部材６ｅに当接し、回動動作が停止する。この状態（図１５参照）は、焦点板８の交換が可能な交換可能状態であるとも表現される。なお、ミラー保持部材６ｅは、主ミラー６ａを保持する部材であり、略矩形状の主ミラー６ａの左右方向における両側部に配置されている。
【００７９】
このように係止部材９による焦点板保持部材７の係止が解除されると、焦点板保持部材７が回転軸１５ｄ回りに回動し、焦点板保持部材７は交換可能状態（図１５）に移行する。
【００８０】
この交換可能状態においては、ストッパ部７２ｓ、変形部７２ｇおよび中央部７２ｆの全てと主ミラー６ａとの接触が回避されつつ、ストッパ部７２ｓがミラー保持部材６ｅに当接した状態で、焦点板保持部材７が主ミラー６ａによって支持されている（図２０参照）。
【００８１】
なお、ここでは、ストッパ部７２ｓの上下方向の幅Ｗｓは変形部７２ｇの幅Ｗｇと中央部７２ｆの幅Ｗｆとのうちのいずれよりも大きく、且つ、ミラー保持部材６ｅは主ミラー６ａの厚さ方向において主ミラー６ａのミラー面（反射面）よりも上側（焦点板保持部材７側）の位置に存在する。このような条件によって、ストッパ部７２ｓ、変形部７２ｇおよび中央部７２ｆの全てと主ミラー６ａとの接触が回避されている。
【００８２】
図１５および図２０の状態において、ユーザは治具ＪＧの先端部を孔７２ｈから一旦取り外した後に、今度は当該治具ＪＧの把持機構を用いて突出部８２を把持し焦点板８を取り出す。突出部８２は、図２０に示すように、レンズマウント部Ｍｔの内部において、右手前側に存在する。
【００８３】
このような操作によって、交換対象の焦点板（交換前の焦点板）８がカメラ本体部２の外部へと取り出される。
【００８４】
つぎに、交換後の焦点板８の装着動作について説明する。
【００８５】
図１５および図２０において、ユーザは交換後の新たな焦点板８の突出部（被把持部）８２を治具ＪＧの先端把持部分を用いて把持して、焦点板保持部材７における所定位置に載置する。その後、ユーザは治具ＪＧを焦点板８から離した後に、当該治具ＪＧを今度は孔７２ｈに挿入して、焦点板保持部材７を上方位置へと移動する。詳細には、当該治具ＪＧを用いて前面側部材７２（焦点板保持部材７）を回転軸１５ｄを中心に上向き（図２１の時計方向）に回転させて移動させる。このとき、ユーザは、前面側部材７２に対して背面側への押圧力を加えることなく、前面側部材７２を上方へ移動させる力のみを加えることが好ましい。
【００８６】
図２１に示すように、この移動操作に応じて焦点板保持部材７とともに焦点板８が上方に移動する。
【００８７】
図２２に示すように、さらに焦点板保持部材７が上方に移動すると、係合部７２ｋは電気的接続端子部２５の背面側樹脂部（絶縁部）に接触しつつ上方に移動する。
【００８８】
また、図２３に示すように、焦点板保持部材７がさらに上方に移動すると、係合部７２ｋは係合部９２ｋに接触しながら上方に移動する。
【００８９】
この接触動作に応じて、焦点板保持部材７の前面側部材７２は、係合部９２ｋからの押圧力を受けて背面側へ若干移動した状態で、さらに上方へと移動する。そして、係合部７２ｋの先端部が係合部９２ｋの先端部を通過すると係合部９２ｋからの反力が小さくなり、前面側部材７２が前面側（図の左側）へと移動して、再び係合部７２ｋと係合部９２ｋとの係合状態が実現される（図１６参照）。換言すれば、係止部材９によって焦点板保持部材７が係止される。これによって、焦点板保持部材７の保持状態が再び実現される。
【００９０】
以上のように、前面側部材７２に対する装置背面側への押圧力がユーザにより付与されることによって、前面側部材７２の係合部７２ｋが装置背面側に変位して当該係合部７２ｋと係止部材９の係合部９２ｋとの係合が解除される（図１６および図１７参照）。そして、その結果、焦点板保持部材７の係止部材９による係止状態が解除される。したがって、上記の従来技術（図２６参照）のように係止部材（９９）を手前側（装置前面側）に引くためのスペースを係合部材の手前側に設けることを要しない。換言すれば、係止部材９よりも手前側（装置前面側）において、係止部材９が手前側に移動するためのスペースを確保する必要がない。そのため、例えば、図１６等に示されるように電気的接続端子部２５に非常に近接して焦点板保持部材７の前面側部材を配置し、係止部材９を比較的レンズマウント部Ｍｔ側に配置することも可能である。このように、省スペース化を図ることが可能である。ひいては、撮像装置１の小型化を図ることが可能である。
【００９１】
＜２．第２実施形態＞
上記第１実施形態では、焦点板８の保持状態において、係止部材９の係合部９２ｋと焦点板保持部材７の係合部７２ｋと（特に係合部９２ｋ）が略水平方向に伸びた状態で係合している（図１６参照）。しかしながら、本発明はこれに限定されない。例えば、係止部材９の係合部９２ｋと焦点板保持部材７の係合部７２ｋとが水平方向に対して斜行する状態で係合するようにしてもよい。第２実施形態においては、このような変形例について説明する。なお、以下では、第１実施形態との相違点を中心に説明する。
【００９２】
図２４に示すように、この第２実施形態に係る焦点板保持部材７（７Ｂ）においては、係合部７２ｋの先端形状が第１実施形態と異なっている。具体的には、係合部７２ｋ（７２ｋＢ）は、奥側（図２４の右側）から手前側（図２４の左側）に向けてその位置が徐々に低くなるように折れ曲げられている。換言すれば、係合部７２ｋＢは、レンズ装着部側（手前側）よりも装置背面側（奥側）が高くなるように傾斜した傾斜面を有している。
【００９３】
また、係止部材９の係合部９２ｋ（９２ｋＢ）も、係合部７２ｋＢと同様に、手前側が低く且つ奥側が高くなるように傾斜する傾斜面を有している。すなわち、係合部９２ｋＢは、レンズ装着部側（手前側）よりも装置背面側（奥側）が高くなるように傾斜した傾斜面を有している。
【００９４】
そして、図２４に示すように、係止部材９（９Ｂ）による焦点板保持部材７（７Ｂ）の係止状態において、係合部７２ｋＢ（詳細にはその傾斜面）は係合部９２ｋＢ（詳細にはその傾斜面）と係合する。
【００９５】
このような構造においては、前面側部材７２に対して装置背面側への押圧力がユーザにより付与されるときに、係合部７２ｋＢが水平方向背面側に移動しようとする。しかしながら、係合部９２ｋＢは、装置背面側が高くなるように傾斜しているため、係止部材９の係合部９２ｋＢから係合部７２ｋＢの傾斜面に対して比較的大きな反力が作用する。
【００９６】
そのため、ユーザによる装置背面側への押圧力が比較的小さい場合には、係合部７２ｋＢの背面側への移動が係合部９２ｋＢによって阻止される。
【００９７】
一方、当該押圧力が比較的大きい場合には、係合部９２ｋＢの傾斜面から係合部７２ｋＢに作用する反力に打ち勝って、係合部７２ｋＢが係合部９２ｋＢの傾斜面に沿って背面上方側へ移動する。そして、係合部７２ｋＢの先端部が係合部９２ｋＢの先端部から離れると、両係合部７２ｋＢ，９２ｋＢの係合が解除され、係止部材９Ｂによる焦点板保持部材７Ｂの係止状態が解除される。
【００９８】
このように、両係合部７２ｋＢ，９２ｋＢの係合を解除するためには、比較的大きな押圧力を付与することを要する。そのため、ユーザが意図しないときに両係合部７２ｋＢ，９２ｋＢの係合が解除されてしまうことを防止することができる。例えば、治具ＪＧの先端等が前面側部材７２に少し触れただけで係止状態が解除されてしまうことを防止できる。換言すれば、係止部材９による焦点板保持部材７の係止状態をより確実に維持することが可能である。
【００９９】
＜３．その他＞
以上、この発明の実施の形態について説明したが、この発明は上記説明した内容のものに限定されるものではない。
【０１００】
たとえば、上記実施形態においては、前面側部材７２に２つの係合部７２ｋを設ける場合を例示したが、これに限定されず、前面側部材７２に単一の係合部７２ｋあるいは３つ以上の係合部７２ｋを設けるようにしてもよい。なお、この場合には、係止部材９においても、当該係合部７２ｋに対応する数の係合部９２ｋを当該係合部７２ｋに対応する位置に設けるようにすればよい。
【０１０１】
また、上記実施形態においては、ストッパ部７２ｓの上下方向の幅Ｗｓは、変形部７２ｇの上下方向の幅Ｗｇよりも広く、且つ、中央部７２ｆの上下方向の幅Ｗｆよりも広い場合を例示したが、これに限定されない。例えば、ストッパ部７２ｓの上下方向の幅Ｗｓは、中央部７２ｆの上下方向の幅Ｗｆよりも狭いものであってもよい。ただし、この場合、ミラー保持部材６ｅに設けられた上方への突出部分６ｇ（図２５参照）にストッパ部７２ｓが当接することなどにより、焦点板保持部材７（特に中央部７２ｆ）が主ミラー６ａのミラー面に接触しないように構成されることが好ましい。具体的には、当該ミラー保持部材６ｅの突出部分６ｇの突出量（主ミラー６ａの厚さ方向における、ミラー面からの突出量）とストッパ部７２ｓの幅Ｗｓとの合計値が、中央部７２ｆの上下方向の幅Ｗｆより大きくなるようにすればよい。
【図面の簡単な説明】
【０１０２】
【図１】撮像装置の外観構成を示す斜視図である。
【図２】撮像装置の内部構成を示す斜視図である。
【図３】撮像装置の内部構成を示す断面図である。
【図４】焦点板付近の構成を示す分解斜視図である。
【図５】焦点板を示す斜視図である。
【図６】焦点板の上面図である。
【図７】焦点板の正面図である。
【図８】焦点板の側面図である。
【図９】焦点板保持部材を示す斜視図である。
【図１０】焦点板保持部材の上面図である。
【図１１】焦点板保持部材の正面図である。
【図１２】焦点板保持部材の左側面図である。
【図１３】焦点板保持部材の右側面図である。
【図１４】焦点板保持部材が上方位置に存在する状態を示す断面図である。
【図１５】焦点板保持部材が下方位置に存在する状態を示す断面図である。
【図１６】図１４の一部拡大図である。
【図１７】前面側部材が装置背面側に押されている状態を示す図である。
【図１８】焦点板保持部材が反時計回りに回動する様子を示す図である。
【図１９】レンズマウント部内側の開口内部を示す図である（図１４に対応）。
【図２０】レンズマウント部内側の開口内部を示す図である（図１５に対応）。
【図２１】焦点板保持部材が時計回りに回動する様子を示す図である。
【図２２】焦点板保持部材が時計回りに回動する様子を示す図である。
【図２３】焦点板保持部材が時計回りに回動する様子を示す図である。
【図２４】第２実施形態に係る焦点板交換機構を示す断面図である。
【図２５】変形例に係るミラー保持部材を示す断面図である。
【図２６】先行技術に係る焦点板交換機構を示す図である。
【符号の説明】
【０１０３】
１  撮像装置
２  カメラ本体部（装置本体部）
５  撮像素子
６  ミラー機構
６ａ  主ミラー
６ｅ  ミラー保持部材
７  焦点板保持部材
８  焦点板
９  係止部材
７２  前面側部材
７２ｆ  中央部
７２ｇ  変形部
７２ｋ，７２ｋＢ，９２ｋ，９２ｋＢ  係合部
７２ｓ  ストッパ部
７４ａ，７４ｂ，７５ａ，７５ｂ  支持部
７４ｃ，７４ｄ，７４ｅ，７５ｃ，７５ｄ，７５ｅ  位置規制部材
Ｍｔ  レンズマウント部
【図１】
2010020141.tif 000003
【図２】
2010020141.tif 000004
【図３】
2010020141.tif 000005
【図４】
2010020141.tif 000006
【図５】
2010020141.tif 000007
【図６】
2010020141.tif 000008
【図７】
2010020141.tif 000009
【図８】
2010020141.tif 000010
【図９】
2010020141.tif 000011
【図１０】
2010020141.tif 000012
【図１１】
2010020141.tif 000013
【図１２】
2010020141.tif 000014
【図１３】
2010020141.tif 000015
【図１４】
2010020141.tif 000016
【図１５】
2010020141.tif 000017
【図１６】
2010020141.tif 000018
【図１７】
2010020141.tif 000019
【図１８】
2010020141.tif 000020
【図１９】
2010020141.tif 000021
【図２０】
2010020141.tif 000022
【図２１】
2010020141.tif 000023
【図２２】
2010020141.tif 000024
【図２３】
2010020141.tif 000025
【図２４】
2010020141.tif 000026
【図２５】
2010020141.tif 000027
【図２６】
2010020141.tif 000028